(57)【要約】【課題】使用者が気流の違和感を感じず、しかも、輻射による暖房を常に感じながら部屋全体の暖房を効率よく暖房する。【解決手段】高温ガス発生手段２１と、輻射体２３と、空気流を供給する送風手段２９と、循環流を形成する循環送風手段２６と、温風吹出口２８と、空気流の流れを切り替えて高温ガスの流れを、輻射体及び循環送風手段側あるいは、温風吹出口側に切り替える高温ガス切替手段３１と、ゆらぎ制御手段４１を備え、前記高温ガス切替手段を、輻射体及び循環送風手段側と、温風吹出口側とに不規則になるようゆらぎ制御することにより、温風暖房と輻射暖房とに不規則に切り替わるので慣れを生じず部屋全体も暖める快適な暖房となる。【選択図】　図１
2004044861.tif 000002
【特許請求の範囲】
【請求項１】
高温ガス発生手段と、前記高温ガス発生手段からの高温ガスにより加熱される採熱面を有した輻射体と、空気流を供給する送風手段と、前記空気流の一部を機器の前方上方に排出して、部屋の空気の循環流を形成する循環送風手段と、前記空気流と高温ガスを混合して温風として排出する温風吹出口と、前記空気流と高温ガスの流れを、輻射体及び循環送風手段側あるいは、温風吹出口側に切り替える高温ガス切替手段と、前記高温ガス切替手段を輻射体及び循環送風手段側と温風吹出口側とに不規則になるように切り替え制御するゆらぎ制御手段を備えてなる暖房装置。
【請求項２】
室内の温度を検出する室温検出手段と、暖房室温の設定をする室温設定手段と、前記室温検出手段で検出した室温が前記室温設定手段で設定した温度になるように高温ガス発生手段のガス発生量を強弱切り替える温度調節手段を有し、前記室温検出手段で検出した室温が前記室温設定手段で設定した温度よりも少なくとも低いときは高温ガス切替手段を強制的に温風吹出口側に切り替えて温風暖房運転を行うとともに、前記室温検出手段で検出した室温が前記室温設定手段で設定した温度との温度差が少なくとも所定温度より小さいときに高温ガス切替手段を輻射体及び循環送風手段側と、温風吹出口側とに不規則になるように切り替え制御するゆらぎ制御手段を有する、請求項１記載の暖房装置。
【請求項３】
室内の温度を検出する室温検出手段と、この室温検出手段で検出した室温が所定温度以下のときは高温ガス切替手段を強制的に温風吹出口側に切り替えて温風暖房運転を行うとともに、前記室温検出手段で検出した室温が所定温度を超えたときに高温ガス切替手段を輻射体側及び循環送風手段側と、温風吹出口側とに不規則になるよう切り替え制御するゆらぎ制御手段を有する、請求項２記載の暖房装置。
【請求項４】
ゆらぎ制御手段は、高温ガス切替手段を輻射体側及び循環送風手段側と、温風吹出口側とに時間的に不規則になるよう切り替え制御した請求項１から３のいずれか１項記載の暖房装置。
【請求項５】
ゆらぎ制御手段は、高温ガス切替手段を輻射体側及び循環送風手段側と、温風吹出口側との間の位置に設定するとともに、上記高温ガスを輻射体側及び循環送風手段側と、温風吹出口側とに時間的に不規則になるよう分配するよう切り替え制御した請求項１から３のいずれか１項記載の暖房装置。
【請求項６】
ゆらぎ制御手段は、カオス信号を発生するカオス信号発生手段を備え、前期カオス信号発生手段発するのカオス信号に基づいて高温ガス切替手段を制御するようにした請求項１から５のいずれか１項記載の暖房装置。
【発明の詳細な説明】
【０００１】
【発明の属する技術分野】
本発明は、輻射熱と温風を用いた暖房装置に関するものである。
【０００２】
【従来の技術】
従来のこの種の暖房装置は特公平３−２６７６２１号公報に記載されているようなものが一般的であった。
【０００３】
この暖房装置は図９に示すように、バーナー１１から発生する燃焼ガスを温風用燃焼ガス通路１２と輻射用燃焼ガス通路１３に分ける燃焼ガス分配手段１４と、輻射用燃焼ガス通路１３の一部を構成し輻射熱を発生する輻射熱発生手段１５と、輻射用燃焼ガス通路１３と温風用燃焼ガス通路１２を通過した燃焼ガスを吹き出すファン１６からなる構成にしていた。
【０００４】
そして、上記構成により燃焼ガス分配手段１４を調整することにより輻射熱発生手段１５で発生する輻射熱を調整することが可能となっていた。
【０００５】
また、図１０に示す特開平１１−３４４２２９号公報では加熱手段２で加熱した熱源から発生する輻射熱を照射する輻射照射部と、加熱手段２又はその近傍領域の温度を測定する温度センサ３と、輻射熱の照射量を制御する制御手段４と、時間的に不規則な信号を記憶して必要に応じてこの信号を発生する不規則信号発生手段５と、前記制御手段４に接続している。また制御手段４には、時間を計測するタイマー６の信号を伝達している。
【０００６】
そして、上記構成により輻射熱の照射量を不規則となるように制御することにより心地よい暖かさを感じ続けることができるようになっていた。
【０００７】
【発明が解決しようとする課題】
しかしながら特公平３−２６７６２１号公報の暖房装置では輻射用燃焼ガス通路１３と温風用燃焼ガス通路１２を通過した燃焼ガスを吹き出すファン１６を設けた構成なので輻射暖房を行っている場合に於いても常に温風を下方に吹き出す構成であると同時に、変化のない一定の暖房をするので、温風が常に一定量使用者に当り続け快適性に欠けるという課題を有していた。
【０００８】
さらに特開平１１−３４４２２９号公報の輻射暖房装置にあっては、輻射熱の照射量を制御する制御手段４と、時間的に不規則な信号を記憶して必要に応じてこの信号を発生し、輻射熱の照射量を不規則となるように制御する構成なので輻射が直接作用する部分の暖房感はあるものの、部屋全体にが温まりにくいという課題があった。
【０００９】
そこで本発明は前記課題を解決するもので、使用者が気流の違和感を感じず、しかも、輻射による暖房を常に感じながら部屋全体の暖房を効率よくすることができる快適性の高い暖房装置を提供することを目的とする。
【００１０】
【課題を解決するための手段】
前記従来の課題を解決するために、本発明の暖房装置は、高温ガス発生手段と、前記高温ガス発生手段からの高温ガスにより加熱される採熱面を有した輻射体と、空気流を供給する送風手段と、前記空気流の一部を機器の前方上方に排出して、部屋の空気の循環流を形成する循環送風手段と、前記空気流と高温ガスを混合して温風として排出する温風吹出口と、前記空気流の流れと高温ガスの流れを、輻射体及び循環送風手段側あるいは、温風吹出口側に切り替える高温ガス切替手段と、前記高温ガス切替手段が輻射体及び循環送風手段側または、温風吹出口側に不規則になるように切り替え制御するゆらぎ制御手段を有する構成としたものである。
【００１１】
これによって、高温ガス発生手段からの高温ガスを、射体側にしたときは高温ガスを輻射体側へ送出し輻射体を加熱して輻射暖房運転をするとともに、送風手段からの空気流を機器の前方上方に排出して、部屋の空気の循環流を形成するようになり、温風吹き出し口からは温風が出なくなる。一方、高温ガスを温風吹き出し口側へ切り替えたときには温風暖房運転をする。このとき送風手段からの空気流は温風吹き出し口から温風として排出され、輻射熱は少なくなる。そして、ゆらぎ制御手段で前記輻射暖房と前記温風暖房とを不規則に変更するので、温風が常に一定量被暖房者に当り続けることを防ぐとともに、輻射が直接作用する部分の暖房感を常に感じさせながら、空気流の不規則な強制対流により部屋全体を効果的に暖める暖房ができるようになる。
【００１２】
【発明の実施の形態】
請求項１に記載の発明は、高温ガス発生手段と、前記高温ガス発生手段からの高温ガスにより加熱される採熱面を有した輻射体と、空気流を供給する送風手段と、前記空気流の一部を機器の前方上方に排出して、部屋の空気の循環流を形成する循環送風手段と、前記空気流と高温ガスを混合して温風として排出する温風吹出口と、前記空気流と高温ガスの流れを輻射体及び循環送風手段側、あるいは温風吹出口側に切り替える高温ガス切替手段を備え、前記高温ガス切替手段を輻射体及び循環送風手段側あるいは、温風吹出口側に不規則になるように切り替え制御するゆらぎ制御手段を有する構成としている。
【００１３】
そして、高温ガス発生手段からの高温ガスを、輻射体側かあるいは温風吹出口側へ切り替える高温ガス切替手段を配設してあるので、高温ガス切替手段が高温ガスを輻射体側へ切り替えたときには輻射暖房運転となるとともに空気流の一部は循環流として機器前方上方に排出され、温風吹き出し口からは温風が出なくなる。一方、高温ガスを温風吹き出し口側へ切り替えたときには温風暖房となり、温風吹き出し口から温風が出、輻射体からの輻射熱は出なくなる。さらに、ゆらぎ制御手段で前記輻射暖房と前記温風暖房とを不規則に変更するので、温風が常に一定量使用者に当り続けることを防ぐとともに、輻射が直接作用する部分の暖房感を常に感じさせながら、送風による不規則な強制対流により部屋全体を効率よく暖める暖房ができるようになる。
【００１４】
請求項２に記載の発明は、室内の温度を検出する室温検出手段と、暖房室温の設定をする室温設定手段と、前記室温検出手段で検出した室温が前記室温設定手段で設定しいた温度になるように高温ガス発生手段のガス発生量を強弱切り替える温度調節手段を有し、前記室温検出手段で検出した室温が前記室温設定手段で設定した温度よりも少なくとも低いときは高温ガス切替手段を強制的に温風吹出口側に切り替えて温風暖房運転を行うとともに、前記室温検出手段で検出した室温が前記室温設定手段で設定した温度との温度差が少なくとも所定温度より小さいときに高温ガス切替手段を輻射体側と温風吹出口側に不規則になるように切り替え制御するゆらぎ制御手段を有する構成としている。
【００１５】
そして、室温が設定温度に達しない比較的部屋全体が寒い場合は、強制的に温風運転にするとともに、室温が設定温度に近づいた場合、すなわち、室温及びそれに追従する壁・床・天井等の温度からの冷輻射を低減した状態でのみ輻射暖房と温風暖房を不規則に切り替えるようになり、効果的な暖房を実現できる。
【００１６】
請求項３に記載の発明は、室内の温度を検出する室温検出手段と、この室温検出手段で検出した室温が所定温度以下の時は高温ガス切替手段を強制的に温風吹出口側に切り替えて温風暖房運転を行うとともに、前記室温検出手段で検出した室温が所定温度を超えたときに高温ガス切替手段を輻射体側と温風吹出口側に不規則になるよう切り替え制御するゆらぎ制御手段を有する構成としてある。
【００１７】
そして、室温が所定温度に達するまでは、温風運転をし壁・床・天井を含め部屋全体を暖めた後、輻射体側と温風吹出口側に不規則になるよう切り替えるので、設定温度に関係なく寒い場合は一旦所定温度、例えば１０℃に暖めた後、輻射暖房と温風暖房を不規則に切り替えるようになり、効果的な暖房を実現できる。
【００１８】
請求項４に記載の発明は、ゆらぎ制御手段で、高温ガス切替手段を輻射体側と温風吹出口側とに時間的に不規則になるよう切り替え制御する構成としてある。
【００１９】
そして、温風暖房の時間と輻射暖房の時間が不規則になるので、温風に当り続けることがなく、しかも、輻射暖房の暖房感を常に感じながら、空気流の不規則な強制対流により部屋全体を効果的に暖める暖房ができるようになる。
【００２０】
請求項５に記載の発明は、ゆらぎ制御手段で、高温ガス切替手段を輻射体側と温風吹出口側との間の位置に設定するとともに、上記高温ガスを輻射体側と温風吹出口側とに時間的に不規則になるよう分配するよう切り替え制御する構成としてある。
【００２１】
そして、温風暖房と輻射暖房の切り替わりを感じることなく、緩急不規則な暖房の変化により一定量の温風や輻射が被暖房者に当り続けることがなく効果的で快適な暖房を実現することができる。
【００２２】
請求項６に記載の発明は、ゆらぎ制御手段は、カオス信号を発生するカオス信号発生手段を備え、前期カオス信号発生手段発するカオス信号に基づいて高温ガス切替手段を制御するよう構成している。
【００２３】
そして、カオス信号によって不規則性を実現し、暖房感覚に慣れを生じることなく常に暖かさを感じさせる快適な暖房を実現することができる。さらに、温風の流れそのものがカオス的になり、室内温度のムラを少なくすることができる。
【００２４】
【実施例】
以下、本発明の実施例について図面を用いて説明する。
【００２５】
（実施例１）
図１は本発明の実施例１の暖房装置の輻射暖房運転時の断面図であり、図２は温風暖房運転時の暖房装置の断面図、図３は制御ブロック図、図４はゆらぎ動作説明用のフローチャートである。
【００２６】
図１〜図４に於いて、２１は燃料を燃焼させる燃焼部で、この燃焼部２１で生じた燃焼排ガスを上方へ導くように配設した燃焼筒２２で覆われていて、この燃焼部２１と燃焼筒２２で高温ガスを発生させる高温ガス発生手段を形成している。
【００２７】
２３は、輻射体加熱風路２４を流れるの高温の燃焼排ガスをその採熱面２５で採熱し、その採熱した熱を輻射エネルギーとして発生する輻射体である。
【００２８】
２６は、輻射体加熱風路２４と機器筐体２７の間に空気流を流し、輻射暖房運転時に機器筐体２７への熱伝導を低減する輻射手段冷却風路で、この輻射手段冷却風路２６を流れる空気流を該機器の前方上方へ排出して、部屋の空気の循環流を形成するようにしてある。
【００２９】
２８は、輻射手段冷却風路２６下方に位置させ、輻射体２３の下部に配置した温風吹出口で、燃焼部２１生じた燃焼排ガスと室内空気流を混合して温風として排出するようになっている。
【００３０】
２９は、室内空気を空気流として供給する送風手段で、輻射暖房運転時にこの空気流は本体冷却風路２６を介して高温ガス切替手段３１で、輻射手段冷却風路２６側かあるいは温風吹出口２８側へ切り替えられ、流れていくようになっている。
【００３１】
３７は制御部で、送風手段２９の吸い込み口に配設し該機器で部屋の代表温度として温度検出する温度検出手段３８で検知した室温や操作部３９で設定された設定温度の条件に制御手段３７ａに基づいて送風手段２９や燃焼部（高温ガス発生手段）２１を制御する温度調節手段であるとともに、高温ガス流切替手段３１を予め決められたシーケンスで制御する。さらに、ゆらぎ制御手段４１からの信号に基づいて、高温ガス流切替手段３１が高温ガスを、輻射体側又は温風吹出口側に、時間的に不規則になるよう分配制御も行う。
【００３２】
上述した構成に於いて、高温ガス切替手段３１で送風手段２９からの空気流を輻射手段冷却風路２８側へ切り替えたときには輻射暖房運転となり、輻射手段冷却風路２６の入り口を開口し、送風手段２９からの空気流が輻射手段冷却風路２６へ流れ、燃焼部２１で生じた燃焼排ガスは、下方へ流れる力が働かなくなり、燃焼筒２２の上方へ流れていき、その熱によるドラフトでさらに上方へ流れ、輻射体加熱風路２４へ導かれるようになる。
【００３３】
そして、燃焼部２１で生じた高温の燃焼排ガスで輻射体２３の採熱面２５を高温とし、その採熱面２５で採熱した熱を輻射体２３より輻射エネルギーとして発生し、輻射暖房をすることができるようになる。またそれと同時に、輻射手段冷却風路２６へ流れた空気流が該機器の前方上方へ温風として排出さるので、機器の上方に気流感があるだけで、機器の前方つまり使用者の居住空間には気流感がない輻射暖房をすることができる。
【００３４】
また、図２に示すように、高温ガス切替手段３１で送風手段２９からの空気流を温風吹出口２８側へ切り替えたときには温風暖房運転となり、輻射手段冷却風路２６の入り口を閉塞して、送風手段２９からの空気流が燃焼筒２２の前面下方へ流れ燃焼部２１で生じた燃焼排ガスを温風吹出口２８側へ導き、送風手段２９からの空気流と燃焼部２１で生じた燃焼排ガスを混合して、温風として温風吹出口２８からを排出する温風暖房をすることができるようになる。
【００３５】
図３に示すように、制御部３７は、温度検出手段（室温検出手段）３８で検知した室温や操作部３９に備えた温度設定釦（温度設定手段）３９ａで設定された設定温度になるように送風機２９の送風量や燃焼部２１の発熱量を強弱制御する。さらに、ゆらぎ制御部４１ではマイクロコンピュータ（図示せず）に予め設定された不規則な値のデータ列（例えば１８０秒、３０秒、３００秒、９０秒…）に基づいて、高温ガス切替手段３１を温風側と輻射側に不規則に制御するになっている。
【００３６】
つまり、まず温風暖房を行い、部屋全体を温風の強制対流により暖めるとともに、足元から暖房し、使用者が温風の不快感を感じる前に、高温ガス切替手段３１を輻射暖房側に切替えて輻射暖房とする。輻射暖房では燃焼排ガスで輻射体２３の採熱面２５を１８０秒間加熱する。次に温風暖房側に３０秒間切替え、輻射体２３の採熱面２５の温度を下げるとともに温風暖房を行う。さらに３００秒の輻射暖房時間を経過して、９０秒温風暖房になるようにするということを繰り返す。
【００３７】
以上の様に、温風暖房と輻射暖房を交互に不規則に変更することにより使用者が温風が当り続けることの違和感を感じる前に輻射暖房に切替る、さらに輻射体の採熱の温度変化幅を短時間に大きくすることができ、輻射による暖房を常に感じ続けることができ、しかも部屋全体の暖房を均一に暖かくもすることができる。
【００３８】
なお、ゆらぎ制御手段４１により、高温ガス切替手段３１にて、高温ガスを、輻射暖房側と輻射暖房側とにそれぞれ送出割合を不規則に切替わるよう制御すると、例えば輻射暖房側対輻射暖房側の高温ガス量を最初の１８０秒間は１対９に、次ぎの１８０秒間は７対３、さらに次ぎの１８０秒間は５対５にしたりすれば、輻射暖房と温風暖房の比率を時間とともに不規則にできるので、常に輻射暖房と温風暖房をしながらそれぞれの切替りを感じない変化のある暖房をすることができる。
【００３９】
（実施例２）
図４は本発明の実施例２の暖房装置のブロック図で、図５は動作説明用のフローチャートである。実施例１と同一部品は同一番号を付与して説明を省略する。
【００４０】
図４に於いて、操作部３９で設定された設定温度と、温度検出手段３８で検出した温度の差を制御手段３７ａで計算し、結果に基づいて、燃焼部２１の発熱量と送風手段４０の送風量を制御する。一方、制御手段３７ａからの信号を受けてゆらぎ手段４１が高温ガス流切替手段３１を制御するよう構成されている。
【００４１】
上記構成に於いてその動作を図４のフローチャートを用いて説明する。Ｓ１で運転スイッチ（図示せず）が押されているか否かを確認し、押されていればＳ２で温風暖房運転を開始する。次にＳ３でガス発生量を強とし、Ｓ４で温度検出手段３８と温度設定手段３９ａの値を比較して、温度設定手段３９ａの値が大きい場合はＳ３に戻ってガス発生量を強とする。温度設定手段３９ａの値が小さいときはＳ５でガス発生量を弱にする。次にＳ６温度検出手段３８と温度設定手段３９ａの値の差が所定温度例えば１℃以下の場合はＳ７でゆらぎ運転を開始する。そうでない場合は温風暖房運転又は輻射暖房運転のまま次ぎのステップに進む動作となる。
【００４２】
従って、室温が低い場合や、設定温度が変更された場合などはゆらぎ運転を行わず、まず、温風暖房による強制対流で設定温度に室温を近づける動作をした後、設定温度近く、すなわち使用者の希望温度近くになったときのみ温風暖房と、輻射暖房のゆらぎ運転を行うので、設定温度に速やかに室温を制御するとともに、温風が長時間当り続けることによる不快感を感じることなく、部屋全体の暖房をしつつも、輻射暖房の暖かさを感じ続けることができ。
【００４３】
（実施例３）
図５は本発明の実施例３の暖房装置のフローチャートである。実施例１及び、２と同一部品は同一番号を付与して説明を省略する。
【００４４】
図５に於いて、Ｓ１にて運転スイッチが押されていればＳ２０で温風暖房運転又は輻射暖房運転を行い、Ｓ２１で室温が所定温度例えば１０℃以上か否かを判断し、所定温度より低ければゆらぎ運転をせずに、一定の温風暖房又は輻射暖房を継続する。室温が１０℃以上になって始めてＳ７で輻射暖房と温風暖房のゆらぎ運転をするように構成している。
【００４５】
上記構成により、室温が絶対的に低く寒い場合は温風又は輻射のいずれか一方の固定燃焼を行い、室温が所定温度例えば１０℃を超えた場合に設定温度には関係なくゆらぎ運転をするようになる。
【００４６】
従って、極端に寒い場合を除き、設定温度に関係なく常にゆらぎ運転となるので、部屋が広い場合等の暖房負荷が大きい場合でも長時間温風か又は、輻射のいずれか一方の暖房に当り続けることがなくなるので、室温の立ち上がり過度時に於いても快適性を保ちながら暖房することができる。
【００４７】
（実施例４）
図６、７、８は本発明の実施例４の暖房装置のカオス制御の動作を説明するための図である。実施例１及び、２と同一部品は同一番号を付与して説明を省略する。
【００４８】
図６に於いて、４１のゆらぎ制御手段は４１ａのカオス制御手段からの出力に基づいて３１の高温ガス流切替手段を制御するようにしている。カオス制御手段４１ａは、数１に示しているような関数Ｆ（Ｘ）に基づいて演算したカオス数列を有しているものである。
【００４９】
Ｆ（Ｘ）＝１―｜２Ｘ―１｜　（０≦Ｘ≦１）　（数１）
図７は、関数Ｆ（Ｘ）をグラフに示したものである。
【００５０】
以下、関数Ｆ（Ｘ）を用いてカオス信号Ｘｎを演算する方法について説明する。図８はこの演算の方法を説明する説明図である。まず、時系列Ｘｎの最初の値をＸ０とし、それを時系列Ｘｎの初期値とする。次にＸ０をＦ（Ｘ）に代入して計算した結果を、ｎ＝１番目の値Ｘ１とする。さらに、Ｘ１をＦ（Ｘ）に代入して計算し、Ｘ２を求め、同様にＸ３をＸ２から求める。以上の手続きを繰り返すことにより、時系列Ｘ０，Ｘ１，Ｘ２・・・・Ｘｎを求めることができる。
【００５１】
ゆらぎ制御手段４１は、こうして得たカオス信号を用いて、高温ガス流切替手段３１を制御している。ゆらぎ運転を開始すると１番目のカオス信号Ｘ１を読みとり、高温ガス流の量を温風側にＸｎ、温風側に１−Ｘｎの割合になるよう高温ガス流切替手段３１を制御する。
【００５２】
このようにして、カオス信号の大きさに応じて輻射暖房と温風暖房を切替制御することができる。
【００５３】
そして、使用者に温風暖房と輻射暖房の変化の慣れを感じさせない暖房ができ、常に輻射の暖かさを感じさせながら同時に部屋全体も均一に暖房することができる。
【００５４】
なお上記実施例では、高温ガス発生手段からの高温ガスの量を一定にした状態で高温ガス流切替手段を温風側と輻射側とにゆらがせる構成としたが、高温ガス切替手段と同時に高温ガスの発生量や送風手段の送風量も同時に可変する構成やカオス制御信号としてロジスティック関数を用いたりしてもよく、その他各部の構成も本発明の目的を達成する範囲であればその構成はどのようなものであってもよい。
【００５５】
【発明の効果】
以上説明したように、本発明の暖房装置によれば、輻射暖房と前記温風暖房とを不規則にゆらぎ変更するので、温風が常に一定量被暖房者に当り続けることを防ぐとともに、輻射が直接作用する部分の暖房感を常に感じさせながら、部屋全体を暖める暖房ができるようになる。
【図面の簡単な説明】
【図１】本発明の実施例１の暖房装置の輻射暖房運転時の断面図
【図２】同実施例における暖房装置の温風暖房運転時の断面図
【図３】同実施例における暖房装置の制御ブロック図
【図４】本発明の実施例２における暖房装置のフローチャート
【図５】本発明の実施例３における暖房装置のフローチャート
【図６】同実施例における暖房装置の制御ブロック図
【図７】本発明の実施例４における暖房装置のカオス関数Ｆ（ｘ）を説明する特性図
【図８】同実施例におけるカオス信号を発生する方法を説明する図
【図９】従来の暖房装置の断面図
【図１０】他の従来の暖房装置の断面図
【符号の説明】
２１　燃焼部（高温ガス発生手段）
２３　輻射体
２６　循環送風手段
２８　温風吹出口
２９　送風手段
３１　高温ガス切替手段
３７　制御部（温度調節手段）
３８　温度検出手段（室温検出手段）
３９　温度設定釦（温度設定手段）
４１　ゆらぎ制御手段
４１ａ　カオス信号発生手段
【図１】
2004044861.tif 000003
【図２】
2004044861.tif 000004
【図３】
2004044861.tif 000005
【図４】
2004044861.tif 000006
【図５】
2004044861.tif 000007
【図６】
2004044861.tif 000008
【図７】
2004044861.tif 000009
【図８】
2004044861.tif 000010
【図９】
2004044861.tif 000011
【図１０】
2004044861.tif 000012